(57)【要約】【課題】画像ファイルに関連付けられる画像評価値は、画像ファイルの画像に対する操作ごとに更新される。そのため、一度のみ再生されて以後何も操作されない画像に対する画像評価値は、一度再生された時点の高い評価値に固定されてしまうことがあった。【解決手段】画像処理装置は、画像データを取得する画像取得部と、画像データに関する基準時点からの経過時間に応じて、画像データに関連付けられる画像評価値を変更する変更部とを備える。【選択図】図３
2013211782.tif 000002
【特許請求の範囲】
【請求項１】
画像データを取得する画像取得部と、
前記画像データに関する基準時点からの経過時間に応じて、前記画像データに関連付けられる画像評価値を変更する変更部と
を備える画像処理装置。
【請求項２】
前記変更部は、前記画像評価値の暫定値である暫定評価値を変更する請求項１に記載の画像処理装置。
【請求項３】
前記変更部は、前記経過時間に応じて、前記暫定評価値を予め定められた基準評価値へ漸近させる請求項２に記載の画像処理装置。
【請求項４】
前記暫定評価値が関連付けられた前記画像データに対して、前記画像評価値の確定値である確定評価値を決定する決定部を備える請求項２または３に記載の画像処理装置。
【請求項５】
前記決定部は、前記画像データに対して予め定められた処理が実行された場合に、前記確定評価値を決定する請求項４に記載の画像処理装置。
【請求項６】
前記予め定められた処理は、前記画像データに対する再生処理、編集処理および印刷処理の少なくとも１つについての複数回の処理である請求項５に記載の画像処理装置。
【請求項７】
前記予め定められた処理は、前記画像データに対する再生処理、編集処理および印刷処理のうち少なくとも２つの処理の組み合わせである請求項５または６に記載の画像処理装置。
【請求項８】
前記予め定められた処理は、ユーザによる前記画像評価値の確定値の入力を受け付ける処理である請求項５に記載の画像処理装置。
【請求項９】
前記決定部は、前記基準時点における前記暫定評価値に基づいて、前記確定評価値を決定する請求項４から８のいずれか１項に記載の画像処理装置。
【請求項１０】
前記決定部は、前記予め定められた処理が実行された時点における前記暫定評価値に基づいて、前記確定評価値を決定する請求項５から８のいずれか１項に記載の画像処理装置。
【請求項１１】
前記決定部は、前記暫定評価値が予め定められた基準評価値と等しくなった場合に、前記確定評価値を前記基準評価値に決定する請求項４から１０のいずれか１項に記載の画像処理装置。
【請求項１２】
前記基準時点は、前記暫定評価値の初期値を決定した時点、または前記画像データの撮影時点である請求項２から１１のいずれか１項に記載の画像処理装置。
【請求項１３】
前記変更部は、前記経過時間に応じて、前記画像評価値を予め定められた基準評価値へ漸近させる第１変更処理を実行する請求項１に記載の画像処理装置。
【請求項１４】
前記変更部は、前記画像データに対する予め定められた処理の内容に基づいて、前記画像評価値を変更する第２変更処理を実行する請求項１３に記載の画像処理装置。
【請求項１５】
前記変更部は、前記基準時点から予め定められた期間経過した時点において、前記画像評価値が前記基準評価値である場合に、前記画像評価値を前記基準時点における評価値へ戻す第３変更処理を実行する請求項１３または１４に記載の画像処理装置。
【請求項１６】
前記画像評価値を前記画像データに関連付けて記録部に記録する記録制御部を備える請求項１から１５のいずれか１項に記載の画像処理装置。
【請求項１７】
前記記録制御部は、画像処理に関する複数の評価項目にそれぞれ対応する複数の前記画像評価値を前記画像データに関連付けて前記記録部に記録する請求項１６に記載の画像処理装置。
【請求項１８】
前記記録制御部は、複数の画像を示す画像データ群の各画像データに対して、前記複数の評価項目にそれぞれ対応する複数の前記画像評価値を関連付けて前記記録部に記録する請求項１７に記載の画像処理装置。
【請求項１９】
前記複数の評価項目の少なくとも１つに対して、画像検索対象としての前記画像評価値の指定を画像検索指定として受け付ける評価値受付部と、
前記指定に対応する画像データを、前記画像データ群から抽出する抽出部と
を備える請求項１８に記載の画像処理装置。
【請求項２０】
前記記録制御部は、複数の画像を示す画像データ群の各画像データに前記画像評価値を関連付けて前記記録部に記録し、
前記画像処理装置は、
表示対象の第１画像を示す第１画像データと、前記第１画像データの撮影時点から予め定められた期間内に撮影された第２画像を示す第２画像データであって前記第１画像データと異なる前記画像評価値が関連付けられた第２画像データと、を前記画像データ群から抽出する抽出部と、
前記第１画像および前記第２画像を表示部に同時に表示させる表示制御部と
を備える請求項１６から１９のいずれか１項に記載の画像処理装置。
【請求項２１】
前記記録部に記録された画像を削除する削除モードの入力を受け付ける削除モード受付部を備え、
前記抽出部は、前記削除モードの入力が受け付けられた場合に、最も低い画像評価値が関連付けられた画像データを前記第１画像データとして前記画像データ群から抽出する請求項２０に記載の画像処理装置。
【請求項２２】
画像データを取得する画像取得ステップと、
前記画像データに関する基準時点からの経過時間に応じて、前記画像データに関連付けられる画像評価値を変更する変更ステップと
をコンピュータに実行させる画像処理プログラム。
【発明の詳細な説明】
【技術分野】
【０００１】
本発明は、画像処理装置および画像処理プログラムに関する。
【背景技術】
【０００２】
カメラによって記録媒体に記録された画像ファイルの画像に対する操作履歴情報を用いて、その画像に対する重要度を評価する指標であるランク（画像評価値）を画像ファイルに関連付け、ランクを画像検索に用いる画像検索システムが知られている。
［先行技術文献］
［特許文献］
［特許文献１］特開平１１−２３４６０４号公報
【発明の概要】
【発明が解決しようとする課題】
【０００３】
画像ファイルに関連付けられる画像評価値は、画像ファイルの画像に対する操作ごとに更新される。例えば、ユーザは、画像ファイルを一度再生して画像を確認したところ、ボケ等により不要と判断することがある。この場合に、ユーザは、この画像の削除をせずに以後操作（再生表示など）しないことがある。そのため、一度のみ再生されて以後何も操作されない画像に対する画像評価値は、一度再生された時点の高い評価値に固定されてしまうことがあった。
【課題を解決するための手段】
【０００４】
本発明の第１の態様における画像処理装置は、画像データを取得する画像取得部と、画像データに関する基準時点からの経過時間に応じて、画像データに関連付けられる画像評価値を変更する変更部とを備える。
【０００５】
また、本発明の第２の態様における画像処理プログラムは、画像データを取得する画像取得ステップと、画像データに関する基準時点からの経過時間に応じて、画像データに関連付けられる画像評価値を変更する変更ステップとをコンピュータに実行させる。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】第１実施形態に係るカメラのシステム構成図である。
【図２】第１実施形態に係るカメラの背面図である。
【図３】暫定評価値の変更処理を説明する図である。
【図４】画像評価値の決定処理を示すフロー図である。
【図５】撮影時点を基準時点として設定し、暫定評価値を時間経過に応じて変更する変更処理を説明する図である。
【図６】第１実施形態における再生条件設定の入力画面の表示例である。
【図７】第２実施形態における画像の表示例である。
【図８】第２実施形態における画像評価値の決定処理を示すフロー図である。
【図９】第２実施形態における画像検索の入力画面の表示例である。
【図１０】第２実施形態における画像検索処理を示すフロー図である。
【図１１】第３実施形態における削除候補画像の表示例である。
【図１２】第３実施形態における削除候補画像の表示処理を示すフロー図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、第１実施形態に係る画像処理装置としてのカメラ１０のシステム構成図である。カメラ１０は光学系２０を備える。光学系２０は、ズームレンズ、フォーカスレンズ等により構成される。被写体像は光軸１１に沿って光学系２０に入射し、撮像素子３１の受光面に結像する。
【００１０】
撮像素子３１は、光学系２０を透過して入射する被写体像である光学像を光電変換する素子であり、例えば、ＣＣＤ、ＣＭＯＳセンサが用いられる。撮像素子３１で光電変換された被写体像は、Ａ／Ｄ変換器３２でアナログ信号からデジタル信号に変換される。撮像素子３１の電荷読み出し制御およびＡ／Ｄ変換器３２の変換制御は、メモリ制御部３３の同期制御を受けたタイミング発生部３４が供給するクロック信号により同期が計られる。
【００１１】
デジタル信号に変換された被写体像は、画像データとして順次処理される。Ａ／Ｄ変換器によりデジタル信号に変換された画像データは、メモリ制御部３３の制御に従い、一旦内部メモリ３５に記憶される。内部メモリ３５は、高速で読み書きのできるランダムアクセスメモリであり、例えばＤＲＡＭ、ＳＲＡＭなどが用いられる。内部メモリ３５は、連写撮影、動画撮影において高速に連続して画像データが生成される場合に、画像処理の順番を待つバッファメモリとしての役割を担う。また、画像処理部３６が行う画像処理、圧縮処理において、ワークメモリとしての役割も担う。したがって、内部メモリ３５は、これらの役割を担うに相当する十分なメモリ容量を備える。メモリ制御部３３は、いかなる作業にどれくらいのメモリ容量を割り当てるかを制御する。
【００１２】
画像処理部３６は、設定されている撮影モード、ユーザからの指示に則して、画像データを所定の画像フォーマットに従った画像データに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、所定の画素数に縮小されて生成された連続する静止画としてのフレーム画像に対して、フレーム内符号化、フレーム間符号化を施して圧縮処理を行う。そして、変換された画像データは再び内部メモリ３５に保管される。
【００１３】
画像処理部３６で処理された画像データは、記録用に処理される画像データに並行して、表示用の画像データを生成する。表示用の画像データは、記録用に処理される画像データをコピーして間引き処理された、画素数の少ない画像データである。生成された表示用の画像データは、表示制御部３８の制御に従って、タイミング発生部３４からのクロック信号に同期するＤ／Ａ変換器３９でアナログ信号に変換されて、例えば液晶パネルである表示部４０に表示される。記録の有無に関わらず、逐次表示用の画像データを生成して表示部４０に表示すれば、電子ファインダ機能を実現することができる。
【００１４】
また、画像処理部３６は、表示用画像内における人の顔の位置を認識する顔認識機能を実行し、顔の画像を囲む枠を表示用画像に表示させた表示用の画像データを生成する。さらに、画像の表示と共に、もしくは画像を表示することなく、カメラ１０の各種設定に関する様々なメニュー項目も、表示部４０に表示することができる。
【００１５】
画像処理部３６によって処理された静止画像データ、動画像データは、メモリ制御部３３の制御により、内部メモリ３５から記録媒体ＩＦ３７を介して、記録媒体５０に記録される。記録媒体５０は、フラッシュメモリ等により構成される、カメラ１０に対して着脱可能な不揮発性メモリである。なお、複数の画像をそれぞれ示す複数の画像データは、画像データ群として記録媒体５０に記録される。また、画像の重要度を示す画像評価値の情報は、画像データに関連付けられて記録媒体５０に記録される。例えば、ＥＸＩＦ情報として画像データと一体的に記録される。
【００１６】
撮影時刻、撮影モード、顔認識結果等の撮影情報は、画像データと関連付けられて記録媒体５０に記録される。また、画像データに対する再生処理、編集処理、印刷処理の回数の情報は、画像データに関連付けられて記録媒体５０に記録される。さらに、後述のように、画像評価値は、画像データに対する再生処理、編集処理、印刷処理の内容に基づいて変化する。なお、画像評価値は、ユーザが任意に設定できるようにしてもよい。
【００１７】
カメラ１０は、上記の画像処理における各々の要素も含めて、システム制御部４１により直接的または間接的に制御される。システム制御部４１は、システムメモリ４２を備える。システムメモリ４２は、電気的に消去・記録可能な不揮発性メモリであり、例えばＥＥＰＲＯＭ（登録商標）等により構成される。システムメモリ４２は、カメラ１０の動作時に必要な定数、変数、プログラム等を、カメラ１０の非動作時にも失われないように記録している。システム制御部４１は、定数、変数、プログラム等を適宜内部メモリ３５に展開して、カメラ１０の制御に利用する。
【００１８】
光学系２０は、システム制御部４１の統括制御のもと、レンズ制御部４３によって制御される。レンズ制御部４３は、ユーザの指示に応じてズームレンズを駆動して、被写体像の画角を変更する。また、レンズ制御部４３は、連続して取得される画像データを用いたコントラストＡＦの情報に応じてフォーカスレンズを駆動して、特定の領域の被写体像を撮像素子３１の受光面上で合焦させる。
【００１９】
カメラ１０は、ユーザからの操作を受け付ける操作部材４４を複数備えている。システム制御部４１は、これら操作部材４４が操作されたことを検知し、操作に応じた動作を実行する。また、カメラ１０は操作部材４４の類としてレリーズスイッチ４５を備える。レリーズスイッチ４５は、押下げ方向に２段階に検知できる押しボタンで構成されている。システム制御部４１は、１段階目の押下げであるＳＷ１の検知により撮影準備動作であるＡＦ、ＡＥ等を実行し、２段階目の押下げであるＳＷ２の検知により撮像素子３１による被写体像の取得動作を実行する。
【００２０】
カメラ１０は、電源６０から電力供給を受ける。電源制御部４６は、電源６０と通信して残電力の検出、電力供給の監視を行う。電源６０は、２次電池、家庭用ＡＣ電源等により構成される。
【００２１】
外部接続ＩＦ４７は、プリンタ、ＰＣ等の外部機器と接続するためのインターフェイスである。インターフェイスとしては、無線／有線ＬＡＮ、ＵＳＢ、ＨＤＭＩ、Ｂｌｕｅｔｏｏｔｈ（登録商標）等の様々な接続規格を採用することができる。外部接続ＩＦ４７を介してプリンタと接続している場合においてユーザが印刷する画像を印刷メニュー画面で選択すると、システム制御部４１は、選択画像の画像データを記録媒体５０から読み出してプリンタに送信する印刷処理を実行する。
【００２２】
また、システム制御部４１は、記録媒体５０に記録されている画像データの編集処理を実行する。画像データの編集処理として、画像の暗い部分を明るく補正するＤ−ライティング、画像の一部を切り抜くトリミング等が挙げられる。システム制御部４１は、ユーザの操作に応じて画像データを編集し、編集した画像データを新たな画像データとして記録媒体５０に記録する編集処理を実行する。
【００２３】
図２は、第１実施形態に係るカメラ１０の背面図である。カメラ１０の背面には、操作部材４４の一部である十字ボタン７１、確定ボタン７２、再生ボタン７３、メニューボタン７４、削除ボタン７５等が配設されている。また、カメラ１０の上面には、レリーズスイッチ４５が配設されている。
【００２４】
ユーザが再生ボタン７３を押下すると、表示制御部３８は、記録媒体５０に記録された画像データを読み出して、表示部４０に画像８１を表示させる再生処理を実行する。また、表示制御部３８は、記録媒体５０から画像データに関連付けられた画像評価値の情報も読み出し、画像の重要度を示す画像評価値を表すマーク８２を画像とともに表示部４０に表示させる。なお、本実施形態において、画像評価値は、「１」〜「５」の５段階で表し、「１」が最も低い画像評価値、「５」が最も高い画像評価値とする。したがって、ユーザは、画像８１とともに表示部４０に表示された画像評価値に対応したマーク８２の数を確認することにより、表示中の画像８１の重要度を容易に把握することができる。
【００２５】
また、ユーザがメニューボタン７４を押下すると、表示制御部３８は、表示部４０にメニュー画面を表示させる。次に、ユーザがメニュー画面から「画像検索」の項目を選択すると、表示制御部３８は、表示部４０に画像検索の入力画面を表示させる。
【００２６】
そして、ユーザが、画像評価値に基づいて画像データを検索するよう、検索したい画像評価値を画像検索の入力画面で検索対象に指定して確定ボタン７２を押下すると、システム制御部４１は、指定された画像評価値に対応する画像データを記録媒体５０から抽出する。例えば、ユーザが画像検索の入力画面で画像評価値「３」を検索対象として指定すると、システム制御部４１は、画像評価値「３」が関連付けられた画像データを記録媒体から抽出する。そして、表示制御部３８は、抽出した画像データの画像を表示部４０に表示させる。したがって、ユーザは、重要度の高い（画像評価値の高い）画像データの画像を表示させて画像データを編集対象として選択したり、重要度の低い（画像評価値の低い）画像データの画像を表示させて画像データを削除対象として選択したりすることができる。
【００２７】
画像評価値は、画像データに対する再生処理、編集処理、印刷処理等の内容に応じて決定される。そして、画像評価値は、画像データに関連付けて記録媒体５０に記録される。
【００２８】
例えば、ユーザが記録媒体５０に記録された画像データを一度再生して確認したところ、その画像がボケていることからその画像データを不要と判断することがある。その場合、ユーザは、一度再生した後に当該画像データの再生、編集、印刷等を行うことはない。そのため、当該画像データの画像評価値も、その後の操作で変更されることがなくなってしまう。
【００２９】
そこで、本実施形態において、画像評価値は、時間経過によって変更される暫定値である暫定評価値と、時間経過によって変更されない確定値である確定評価値とにより構成される。まず、システム制御部４１は、撮影時において、予め定められたデフォルト値を画像評価値として画像データに関連付けて記録する。次に、システム制御部４１は、１回目の再生処理、編集処理、印刷処理等を実行した時点で暫定評価値（後述する初期暫定評価値）を設定する。暫定評価値は、画像評価値として画像データに関連付けて記録媒体５０に記録される。例えば、１回目の再生処理等の後、２回目の再生処理等を実行するまでの間、システム制御部４１は、１回目の再生処理等の時点からの経過時間に応じて暫定評価値を逐次若しくは定期的に変更する。例えば、システム制御部４１は、暫定評価値を基準評価値に漸近させる。基準評価値は、例えば、最も低い画像評価値として予め定められている。なお、本実施形態において、最も低い画像評価値である「１」を基準評価値とする。
【００３０】
そして、２回目の再生処理等が実行された時点で、システム制御部４１は、暫定評価値を参照して確定評価値を決定する。確定評価値は、暫定評価値に代わり、画像評価値として記録媒体５０に記録する。このように、本実施形態において、確定評価値が決定されるまでの間、暫定評価値が用いられる。なお、本実施形態においては、２回目の再生処理等が実行された時点で確定評価値を決定するが、これに限らず、３回目以降で確定評価値を決定するようにしてもよい。
【００３１】
図３は、暫定評価値の変更処理を説明する図である。なお、本実施形態において、システム制御部４１は、撮影時において、デフォルト値として画像評価値「３」を画像データに関連付けて記録媒体５０に記録する。このデフォルト値は、時間経過によっては変更されない確定評価値である。なお、本実施形態において、デフォルト値を画像評価値「３」としたが、画像評価値「３」以外の画像評価値「１」から「５」のいずれかをデフォルト値としてもよい。また、デフォルト値はユーザが任意に設定できるようにしてもよい。
【００３２】
図３（Ａ）〜（Ｃ）の各例において、システム制御部４１は、１回目の再生処理等が実行された場合、再生処理等の内容に応じて画像評価値の暫定値である暫定評価値を設定する。例えば、システム制御部４１は、１回目の再生時間に応じて暫定評価値を設定する。この場合、再生時間が長いほど暫定評価値は高くなる。例えば、１回目の処理として再生処理が実行された場合、再生時間が例えば１０秒以上であれば撮影時の画像評価値（デフォルト値）に１をプラスした値を、再生時間が例えば３０秒以上であれば撮影時の画像評価値に２をプラスした値を、暫定評価値として設定する。図３（Ａ）〜（Ｃ）の各例においては、撮影時の画像評価値「３」に１をプラスした「４」が暫定評価値として画像データに関連付けられる。システム制御部４１は、１回目の再生処理等による暫定評価値の設定時点を基準時点として設定し、暫定評価値を時間経過に応じて変更する。基準時点は、画像データに関連付けて記録される。なお、暫定評価値の設定は再生時間に関係なく、撮影時の画像評価値（デフォルト値）に予め定められた値（例えば１）をプラスするようにしてもよい。デフォルト値が「５」であった場合は、予め定められた値がプラスされるのではなく画像評価値が確定するようにしてもよい。
【００３３】
システム制御部４１は、特定の間隔、例えば１日おきに、暫定評価値が関連付けられた画像データを記録媒体５０から抽出する。そして、システム制御部４１は、抽出した画像データに関連付けられた基準時点からの経過時間を計測する。例えば、図３（Ａ）に示すとおり、基準時点から３日経過しても２回目の再生処理等が実行されなかった場合に、システム制御部４１は、暫定評価値を「４」から「３」へ変更する。そして、システム制御部４１は、変更した暫定評価値「３」を画像データに関連付けて記録媒体５０に記録する。なお、再生処理については、再生時間が予め定められた時間（例えば１０秒）未満である場合、１回目の後に再生処理が実行されなかったものとしてもよい。なお、カメラ１０の電源がオフの場合においても、システム制御部４１は、電源６０からの供給を受けてこの一連の処理を実行する。
【００３４】
なお、システム制御部４１は、カメラ１０の電源がオフの場合においても上述の一連の処理を実行する代わりに、カメラ１０の電源がオフの場合には当該一連の処理を実行せず電源がオンになった時点で実行するようにしてもよい。例えば、システム制御部４１は、電源がオンになった時点で、カメラ１０の電源オフから電源オンまでの経過時間を計測する。そして、システム制御部４１は、電源オフ時における基準時点からの経過時間に電源オフから電源オンまでの経過時間を加算して、電源オン時における基準時点からの経過時間を算出する。そして、システム制御部４１は、電源オン時における基準時点からの経過時間を用いて暫定評価値の変更処理を実行する。
【００３５】
基準時点から７日経過しても２回目の再生処理等が実行されなかった場合に、例えば、システム制御部４１は、暫定評価値を「３」から「２」へ変更する。システム制御部４１は、変更した暫定評価値「２」を画像データに関連付けて記録媒体５０に記録する。また、基準時点から１４日経過しても２回目の再生処理等が実行されなかった場合に、システム制御部４１は、暫定評価値を「２」から基準評価値である「１」へ変更する。この場合、システム制御部４１は、基準評価値「１」を確定評価値として決定し、確定評価値を画像データに関連付けて記録媒体５０に記録する。
【００３６】
図３（Ｂ）に示すとおり、基準時点から３日経過するまでに２回目の再生処理等が実行された場合に、システム制御部４１は、基準時点の暫定評価値「４」および再生処理等の内容に応じて確定評価値を決定する。そして、システム制御部４１は、決定した確定評価値を画像データに関連付けて記録媒体５０に記録する。図３（Ｂ）の例において、確定評価値「５」が画像データに関連付けられる。なお、再生処理については、再生時間が予め定められた時間（例えば１０秒）以上である場合に、１回目の後に再生処理が再度実行されたものとしてもよい。
【００３７】
図３（Ｃ）に示すとおり、基準時点から３日経過しても２回目の再生処理等が実行されなかった場合に、システム制御部４１は、暫定評価値を「４」から「３」へ変更する。システム制御部４１は、変更した暫定評価値「３」を画像データに関連付けて記録媒体５０に記録する。そして、基準時点から７日経過するまでに２回目の再生処理等が実行された場合に、システム制御部４１は、基準時点の暫定評価値「４」および再生処理等の内容に応じて確定評価値を決定する。そして、システム制御部４１は、決定した確定評価値を画像データに関連付けて記録媒体５０に記録する。図３（Ｃ）の例において、確定評価値「５」が画像データに関連付けられる。
【００３８】
なお、図３（Ｃ）の例において、基準時点（１回目の再生処理等による暫定評価値の設定時点）の暫定評価値と２回目の再生処理等が実行された時点における暫定評価値とは、「４」と「３」で異なる。この場合、システム制御部４１は、基準時点の暫定評価値「４」を用いて確定評価値を決定しても、２回目の再生処理等が実行された時点における暫定評価値「３」を用いて確定評価値を決定してもよい。したがって、システム制御部４１は、再生処理等が実行された時点における暫定評価値「３」および再生処理等の内容に応じて確定評価値「４」を決定する。
【００３９】
画像検索対象としての画像評価値が指定された場合に、システム制御部４１は、暫定評価値を用いて、指定された画像評価値が関連付けられた画像データを抽出する。図３（Ａ）の例を用いて具体例を説明する。基準時点から２日後の時点では、システム制御部４１は、当該画像データの画像評価値を「４」と判断する。そして、ユーザが画像検索の入力画面で画像評価値「４」を画像検索対象として指定した場合に、システム制御部４１は、当該画像データを抽出する。一方、基準時点から５日後の時点では、システム制御部４１は、当該画像データの画像評価値を「３」と判断する。したがって、ユーザが画像検索の入力画面で画像評価値「４」を検索対象として指定した場合、システム制御部４１は、当該画像データを抽出しない。このように暫定評価値を用いて画像検索を実行することにより、検索時点での画像の重要度に応じた画像を抽出することができる。
【００４０】
図４は、画像評価値の決定処理を示すフロー図である。本フローは、例えば、１つの画像データに対して確定評価値が関連付けられるまでの処理である。複数の画像データが記録媒体５０に記録されている場合、各画像データに対して本フローの処理が実行される。なお、各画像データに対する処理を並列で実行しても、１つの画像データに対する処理時間を定めて順番に１つの画像データに対して処理を実行してもよい。本実施形態において、システム制御部４１が本フローの処理を実行する。なお、本実施例では、上述したとおり、画像データには、撮影時において、デフォルト値として画像評価値「３」が関連付けられる。
【００４１】
ステップＳ１０１では、システム制御部４１は、ユーザの操作部材４４への操作に応じて、記録媒体５０に記録された画像データに対して再生処理、編集処理、印刷処理を実行するか否かを判定する。再生処理等を実行する場合にはステップＳ１０２へ移行し、実行しない場合にはステップＳ１０８へ移行する。
【００４２】
ステップＳ１０２では、システム制御部４１は、再生処理等の対象となる画像データを記録媒体５０から取得する。なお、本実施形態において、システム制御部４１は、画像データを取得する画像取得部として機能する。そして、ステップＳ１０３では、システム制御部４１は、ユーザの操作部材４４への操作に応じて、取得した画像データに対する再生処理等を実行する。
【００４３】
ステップＳ１０４では、システム制御部４１は、今回の再生処理等がステップＳ１０２で取得した画像データに対する１回目の再生処理等であるか否かを判断する。１回目の再生処理等である場合にはステップＳ１０５へ移行し、２回目以降の再生処理等である場合にはステップＳ１１９へ移行する。
【００４４】
ステップＳ１０５では、システム制御部４１は、図３を用いて説明したように、暫定値である初期暫定評価値Ｖｐ０を、ステップＳ１０２で取得した画像データに対して設定する。そして、システム制御部４１は、設定した初期暫定評価値Ｖｐ０を画像データに関連付けて記録媒体５０に記録する。なお、本実施形態において、システム制御部４１は、画像評価値を画像データに関連付けて記録部に記録する記録制御部として機能する。
【００４５】
ステップＳ１０６では、システム制御部４１は、初期暫定評価値Ｖｐ０を設定した時刻を基準時刻ｔ０（基準時点）として設定する。ステップＳ１０７では、システム制御部４１は現在時刻ｔを計測する。ステップＳ１０８では、経過時間Ｔ＝ｔ−ｔ０を算出する。
【００４６】
ステップＳ１０９では、システム制御部４１は、経過時間Ｔが予め定められた時間Ｔ１、例えば３日以内であるか否かを判断する。経過時間Ｔが時間Ｔ１以内である場合にはステップＳ１１０へ移行し、経過時間Ｔが時間Ｔ１より経過した場合にはステップＳ１１１へ移行する。ステップＳ１１０では、システム制御部４１は、初期暫定評価値Ｖｐ０を暫定評価値Ｖｐとして設定する。
【００４７】
ステップＳ１１１では、システム制御部４１は、経過時間Ｔが予め定められた時間Ｔ２、例えば７日以内であるか否かを判断する。経過時間Ｔが時間Ｔ２以内である場合にはステップＳ１１２へ移行し、経過時間Ｔが時間Ｔ２より経過した場合にはステップＳ１１３へ移行する。ステップＳ１１２では、システム制御部４１は、初期暫定評価値Ｖｐ０−１を暫定評価値Ｖｐとして設定する。なお、暫定評価値ＶｐがＶｐ０からＶｐ０−１に変更された場合には、システム制御部４１は、新たな暫定評価値Ｖｐ０−１を画像データに関連付けて記録媒体５０に記録する。
【００４８】
ステップＳ１１３では、システム制御部４１は、経過時間Ｔが予め定められた時間Ｔ３、例えば１４日以内であるか否かを判断する。経過時間Ｔが時間Ｔ３以内である場合にはステップＳ１１４へ移行し、経過時間Ｔが時間Ｔ３より経過した場合にはステップＳ１１５へ移行する。ステップＳ１１４では、システム制御部４１は、初期暫定評価値Ｖｐ０−２を暫定評価値Ｖｐとして設定する。なお、暫定評価値ＶｐがＶｐ０−１からＶｐ０−２に変更された場合には、システム制御部４１は、新たな暫定評価値Ｖｐ０−２を画像データに関連付けて記録媒体５０に記録する。
【００４９】
ステップＳ１１５では、システム制御部４１は、経過時間Ｔが予め定められた時間Ｔ４、例えば２１日以内であるか否かを判断する。経過時間Ｔが時間Ｔ４以内である場合にはステップＳ１１６へ移行し、経過時間Ｔが時間Ｔ４より経過した場合にはステップＳ１１８へ移行する。ステップＳ１１６では、システム制御部４１は、初期暫定評価値Ｖｐ０−３を暫定評価値Ｖｐとして設定する。なお、暫定評価値ＶｐがＶｐ０−２からＶｐ０−３に変更された場合には、システム制御部４１は、新たな暫定評価値Ｖｐ０−３を画像データに関連付けて記録媒体５０に記録する。なお、ステップＳ１０９からＳ１１６の処理で示すとおり、本実施形態において、システム制御部４１は、基準時点からの経過時間に応じて、画像データに関連付けられる画像評価値の暫定値である暫定評価値を変更する変更部として機能する。
【００５０】
ステップＳ１１７では、システム制御部４１は、ステップＳ１１０、Ｓ１１２、Ｓ１１４、Ｓ１１６で設定した暫定評価値Ｖｐが基準評価値１であるか否かを判断する。暫定評価値Ｖｐが基準評価値１である場合にはステップＳ１１８へ移行し、暫定評価値Ｖｐが基準評価値１でない場合にはステップＳ１０１へ戻る。
【００５１】
ステップＳ１１８では、システム制御部４１は、確定評価値を１に決定し、決定した確定評価値を画像データに関連付けて記録媒体５０に記録する。そして、本フローを終了する。ステップＳ１１９では、システム制御部４１は、図３で説明したように、暫定評価値に応じて確定評価値ＶＤを決定する。そして、システム制御部４１は、決定した確定評価値を画像データに関連付けて記録媒体５０に記録する。そして、本フローを終了する。なお、本実施形態において、システム制御部４１は、暫定評価値が関連付けられた画像データに対して、画像評価値の確定値である確定評価値を決定する決定部として機能する。
【００５２】
このように、第１実施形態において経過時間に応じて変更される暫定評価値を用いることにより、ユーザが一度再生して不要と判断した画像データに対して、ユーザが画像評価値を設定する操作を行わずとも、適切な画像評価値を割り当てることができる。また、２回以上再生処理等が実行された画像データに対して時間経過に応じて変更されない確定評価値を用いることにより、ユーザが画像評価値を設定する操作を行わずとも、ユーザにとって重要な画像データに適切な画像評価値を割り当てることができる。そして、ユーザは適切な画像評価値に基づいて画像検索することができ、ユーザにとって重要な画像データを簡単に探し出すことができる。
【００５３】
上述のステップＳ１０４において、再生処理、編集処理、印刷処理の３つの処理の回数で判断したが、これに限らず、当該３つの処理のうちの少なくとも１つの処理が２回実行された場合にステップＳ１０７へ移行するようにしてもよい。また、当該３つの処理のうちの少なくとも２つが実行された場合にステップＳ１０７へ移行するようにしてもよい。
【００５４】
また、ステップＳ１０４において、再生処理等が２回目の場合にステップＳ１０７へ移行するが、ステップＳ１０７へ移行する回数はこれに限らない。例えば、ステップＳ１０４において、再生処理等が２〜４回の場合にはステップＳ１０８へ移行し、再生処理等が５回目の場合にステップＳ１０７へ移行するようにしてもよい。
【００５５】
なお、上述のフローを実行中において、ユーザは、暫定評価値が関連付けられている画像データに対して画像評価値の確定値を入力できる。例えば、ユーザは、メニュー画面から「画像評価値の確定値入力」の項目を選択し、入力画面で画像データを選択して画像評価値の確定値を入力する。システム制御部４１は、ユーザによる画像評価値の確定値の入力を受け付け、入力された確定値を確定評価値として決定し、確定評価値を画像データに関連付けて記録媒体５０に記録する。
【００５６】
上述の第１実施形態において、最も低い評価値「１」を基準評価値として用いたが、撮影時における画像評価値のデフォルト値を基準評価値として用いてもよい。また、評価値「１」よりもさらに低い評価値として、その画像を削除する画像候補として挙げる「削除候補」という評価値を設けてもよい。これにより、再生処理等のない、若しくは処理回数の少ない画像データは、ユーザにとって重要度の低い画像データであるとして削除候補とすることができる。削除候補の画像は、一括して削除することができるようにして、ユーザの作業を簡略化することができる。
【００５７】
上述の第１実施形態において、１回目の再生処理等による初期暫定評価値の決定時点を基準時点に決定したが、撮影時点を基準時点として決定してもよい。そして、撮影時点における画像評価値を暫定評価値としてもよい。
【００５８】
ここで、上述の第１実施形態の変形例について説明する。なお、ここでは、実施形態の変形に伴う第１実施形態との異なる点について主に説明する。図５は、撮影時点を基準時点として設定し、暫定評価値を時間経過に応じて変更する変更処理を説明する図である。図５（Ａ）〜（Ｃ）の各例において、システム制御部４１は、撮影時に暫定評価値「３」を設定し、設定した暫定評価値を画像データに関連付けて記録媒体５０に記録する。また、システム制御部４１は、撮影時点を基準時点として設定する。そして、システム制御部４１は、基準時点である撮影時点から現在までの経過時間を計測する。
【００５９】
図５（Ａ）に示すとおり、撮影時点から３日経過しても再生処理等が実行されなかった場合に、システム制御部４１は、暫定評価値を「３」から「２」へ変更する。システム制御部４１は、変更した暫定評価値「２」を画像データに関連付けて記録媒体５０に記録する。また、撮影時点から７日経過しても再生処理等が実行されなかった場合に、システム制御部４１は、暫定評価値を「２」から「１」へ変更する。この場合、システム制御部４１は、基準評価値「１」を画像評価値の確定値である確定評価値として決定し、確定評価値を画像データに関連付けて記録媒体５０に記録する。
【００６０】
図５（Ｂ）に示すとおり、システム制御部４１は、撮影時点から３日経過するまでに１回目の再生処理等が実行された場合、再生処理等の内容に応じて暫定評価値を変更する。図５（Ｂ）の例において、暫定評価値を「３」から「４」へ変更する。システム制御部４１は、変更した暫定評価値「４」を画像データに関連付けて記録媒体５０に記録する。その後、撮影時点から３日経過しても２回目の再生処理等が実行されなかった場合に、システム制御部４１は、暫定評価値を「４」から「３」へ変更する。システム制御部４１は、変更した暫定評価値「３」を画像データに関連付けて記録媒体５０に記録する。
【００６１】
また、撮影時点から７日経過しても２回目の再生処理等が実行されなかった場合に、システム制御部４１は、暫定評価値を「３」から「２」へ変更する。システム制御部４１は、変更した暫定評価値「２」を画像データに関連付けて記録媒体５０に記録する。さらに、撮影時点から１４日経過しても２回目の再生処理等が実行されなかった場合に、システム制御部４１は、暫定評価値を「２」から「１」へ変更する。この場合、システム制御部４１は、基準評価値「１」を画像評価値の確定値である確定評価値として決定し、確定評価値を画像データに関連付けて記録媒体５０に記録する。なお、上述の第１実施形態と同様に、システム制御部４１は、１回の再生時間に応じて暫定評価値を設定するようにしてもよい。
【００６２】
図５（Ｃ）に示すとおり、システム制御部４１は、撮影時点から３日経過するまでに１回目の再生処理等が実行された場合、再生処理等の内容に応じて暫定評価値を変更する。図５（Ｃ）の例において、暫定評価値を「３」から「４」へ変更する。システム制御部４１は、変更した暫定評価値「４」を画像データに関連付けて記録媒体５０に記録する。その後、撮影時点から３日経過するまでに２回目の再生処理等が実行された場合に、システム制御部４１は、１回目の再生処理等の実行時における暫定評価値「４」および再生処理等の内容に応じて確定評価値を決定する。そして、システム制御部４１は、決定した確定評価値を画像データに関連付けて記録媒体５０に記録する。図５（Ｃ）の例において、確定評価値「５」が画像データに関連付けられる。
【００６３】
このように撮影時の画像評価値を時間の経過に応じて変更することにより、ユーザが撮影したが不要と判断した画像データに対して、適切な画像評価値を割り当てることができる。また、２回目の再生処理等が実行されるまで暫定評価値を用いることにより、図３および図４を用いて説明した上述の実施形態と同様の効果を奏する。
【００６４】
また、上述の第１実施形態およびその変形例において、撮影時に決定される画像評価値としてデフォルト値を用いたが、これに限らない。システム制御部４１は、撮影時における撮影モード（オートモード、マニュアルモード、ポートレートモード、風景モード、マクロモード等）、顔認識結果等の撮影情報を用いて、撮影時の画像評価値を決定してもよい。例えば、システム制御部４１は、ユーザが自身で露出値を決定するマニュアルモードで撮影された画像データに対して、露出値をカメラ１０側で決定するオートモードで撮影された画像データより高い画像評価値に設定する。また、システム制御部４１は、ポートレートモード等の人物が撮影されている可能性の高い撮影モードで撮影された画像データに対して、風景モード等の人物が撮影されている可能性の少ない撮影モードで撮影された画像データより高い画像評価値を設定する。なお、どの撮影モードで撮影された画像データの画像評価値を高く設定するかはユーザが指定できるようにしてもよい。
【００６５】
さらに、システム制御部４１は、顔認識有りの画像データに対して、顔認識無しの画像データより高い画像評価値に決定する。また、システム制御部４１は、特定の人物が顔認識されている画像データに対して特定の人物が顔認識されていない画像データより高い画像評価値に決定する。なお、特定の人物の情報は、ユーザの操作に応じてシステムメモリ４２に予め登録されている。
【００６６】
上述のように画像評価値が関連付けられた画像データの再生処理の条件を設定するため再生条件設定処理について説明する。図６は、第１実施形態における再生条件設定の入力画面の表示例である。ユーザがメニューボタン７４を押下してメニュー画面から「再生条件設定」の項目を選択すると、表示制御部３８は、図６に示す設定画面を表示部４０に表示させる。
【００６７】
再生条件設定画面には、画像評価値に関する３つの条件（条件１〜３）および撮影日に関する３つの条件（条件４〜６）が選択可能に表示されている。例えば、「条件１」は、画像評価値「５」の画像データのみ再生対象とする条件である。また、例えば、「条件５」は、「○○年××月△△日」以降を撮影日とする画像データを再生対象とする条件である。
【００６８】
ユーザは、操作部材４４を操作して、カーソル９０を移動させ、設定したい再生条件の左側に配置されたチェックボックスにチェックを入れることにより、当該再生条件を設定する。なお、ユーザは、操作部材４４を操作して、画像評価値に関する条件（条件１〜３）の画像評価値を示すマークにカーソルを移動させ、条件を規定する画像評価値を変更することができる。また、ユーザは、操作部材４４を操作して、撮影日に関する条件（条件４〜６）の年月日の領域にカーソルを移動させ、条件を規定する年月日を変更することができる。
【００６９】
図６の例において、画像評価値「３」以上の画像データを再生対象とする「条件２」および「○○年××月△△日」以降を撮影日とする画像データを再生対象とする「条件５」が設定されている。この設定状態でユーザが再生ボタン７３を押下すると、システム制御部４１は、画像評価値「３」以上かつ「○○年××月△△日」以降を撮影日とする画像データを記録媒体５０から抽出する。そして、表示制御部３８は、ユーザの操作部材４４の操作に従い、抽出した画像データが示す画像を表示部４０に表示させる。
【００７０】
次に、第２実施形態について説明する。第２実施形態のカメラ１０のシステム構成は、図１で示される第１実施形態のカメラ１０のシステム構成と同様である。第１実施形態において１枚の画像を示す画像データに関連付けられる画像評価値は１つであったが、第２実施形態においては、１枚の画像を示す画像データに複数の画像評価値が関連付けられる。
【００７１】
図７は、第２実施形態における画像の表示例である。ユーザが再生ボタン７３を押下すると、表示制御部３８は、図７に示すとおり、表示部４０に画像１００を表示させる。また、表示制御部３８は、図７に示すとおり、画像１００の下に、第１項目欄１０１、第２項目欄１０２、第３項目欄１０３、第４項目欄１０４および第５項目欄１０５を表示部４０に表示させる。
【００７２】
第１項目欄１０１には、評価項目「再生」に対する画像評価値を示すマークが表示される。図７において、第１項目欄１０１には、画像評価値「４」を示すマークが表示されている。システム制御部４１は、画像１００の画像データに対する再生処理の内容に応じて、評価項目「再生」に対する画像評価値を決定する。例えば、まず、システム制御部４１は、画像１００の再生時間を計測し、画像１００の過去分の再生時間との合計を算出する。そして、システム制御部４１は、画像１００の再生時間の合計と画像評価値との対応付けを示すテーブルを参照して、評価項目「再生」に対する画像評価値を決定する。なお、この場合、再生時間の合計が長いほど画像評価値は高くなる。また、画像１００の再生時間の合計と画像評価値との対応付けを示すテーブルは、システムメモリ４２に予め記録されている。なお、再生時間が予め定められた時間（例えば１０秒）以上である場合を１回の再生とするようにしてもよい。
【００７３】
システム制御部４１は、第１実施形態と同様に、画像１００の画像データに対する１回目の再生処理の時点で、暫定値である暫定評価値を評価項目「再生」に対する画像評価値として設定する。そして、システム制御部４１は、画像１００の画像データに対する２回目の再生処理の時点で、時間経過によっては変更されない確定評価値を評価項目「再生」に対する画像評価値として決定する。２回目の再生処理により、画像評価値は時間経過によって変更されないが、３回目以降の再生処理において、システム制御部４１は、再生処理の内容に応じて、確定評価値である評価項目「再生」に対する画像評価値を変更する。
【００７４】
なお、システム制御部４１は、画像１００の再生時間の合計の代わりに、または画像１００の再生時間の合計とともに画像１００の再生回数を用いて、評価項目「再生」に対する画像評価値を決定してもよい。また、システム制御部４１は、画像１００の再生時間の合計の代わりに、画像１００の再生１回あたりの再生時間を用いて、評価項目「再生」に対する画像評価値を決定してもよい。
【００７５】
第２項目欄１０２には、評価項目「編集」に対する画像評価値を示すマークが表示される。図７において、第２項目欄１０２には、画像評価値「１」を示すマークが表示されている。システム制御部４１は、画像１００の画像データに対する編集処理の内容に応じて、評価項目「編集」に対する画像評価値を決定する。例えば、まず、システム制御部４１は、画像１００の編集時間を計測し、画像１００の過去分の編集時間との合計を算出する。そして、システム制御部４１は、画像１００の編集時間の合計と画像評価値との対応付けを示すテーブルを参照して、評価項目「編集」に対する画像評価値を決定する。なお、この場合、編集時間が長いほど画像評価値は高くなる。また、画像１００の編集時間の合計と画像評価値との対応付けを示すテーブルは、システムメモリ４２に予め記録されている。
【００７６】
システム制御部４１は、第１実施形態と同様に、画像１００の画像データに対する１回目の編集処理の時点で、暫定値である暫定評価値を評価項目「編集」に対する画像評価値として設定する。そして、システム制御部４１は、画像１００の画像データに対する２回目の編集処理の時点で、時間経過によっては変更されない確定評価値を評価項目「編集」に対する画像評価値として決定する。２回目の編集処理により、画像評価値は時間経過によって変更されないが、３回目以降の編集処理において、システム制御部４１は、編集処理の内容に応じて、確定評価値である評価項目「編集」に対する画像評価値を変更する。
【００７７】
なお、システム制御部４１は、画像１００の編集時間の合計の代わりに、または画像１００の編集時間の合計とともに画像１００の編集回数を用いて、評価項目「編集」に対する画像評価値を決定してもよい。また、システム制御部４１は、画像１００の編集時間の合計の代わりに、画像１００の編集１回あたりの編集時間を用いて、評価項目「編集」に対する画像評価値を決定してもよい。
【００７８】
第３項目欄１０３には、評価項目「印刷」に対する画像評価値を示すマークが表示される。図７において、第３項目欄１０３には、画像評価値「３」を示すマークが表示されている。システム制御部４１は、画像１００の画像データに対する印刷処理の内容に応じて、評価項目「印刷」に対する画像評価値を決定する。例えば、まず、システム制御部４１は、画像１００の印刷回数を算出する。そして、システム制御部４１は、画像１００の印刷回数と画像評価値との対応付けを示すテーブルを参照して、評価項目「印刷」に対する画像評価値を決定する。なお、この場合、印刷回数が多いほど画像評価値は高くなる。また、画像１００の印刷回数と画像評価値との対応付けを示すテーブルは、システムメモリ４２に予め記録されている。
【００７９】
システム制御部４１は、第１実施形態と同様に、画像１００の画像データに対する１回目の印刷処理の時点で、暫定値である暫定評価値を評価項目「印刷」に対する画像評価値として設定する。そして、システム制御部４１は、画像１００の画像データに対する２回目の印刷処理の時点で、時間経過によっては変更されない確定評価値を評価項目「印刷」に対する画像評価値として決定する。２回目の印刷処理により、画像評価値は時間経過によって変更されないが、３回目以降の印刷処理において、システム制御部４１は、印刷処理の内容に応じて、確定評価値である評価項目「印刷」に対する画像評価値を変更する。なお、システム制御部４１は、画像１００の印刷回数の代わりに、または画像１００の印刷回数とともに画像１００の印刷枚数を用いて、評価項目「印刷」に対する画像評価値を決定してもよい。
【００８０】
第４項目欄１０４には、評価項目「保護」に対する画像評価値を示すマークが表示される。図７において、第４項目欄１０４には、画像評価値「３」を示すマークが表示されている。システム制御部４１は、画像１００の画像データに対する処理の内容に応じて、評価項目「保護」に対する画像評価値を決定する。例えば、まず、システム制御部４１は、画像１００の撮影時の撮影モード（オートモード、マニュアルモード、ポートレートモード、風景モード、マクロモード等）の情報を記録媒体５０から取得する。
【００８１】
そして、システム制御部４１は、撮影モードと画像評価値との対応付けを示すテーブルを参照して、評価項目「保護」に対する画像評価値を決定する。当該テーブルにおいて、ユーザが自身で露出値を決定するマニュアルモードには、露出値をカメラ１０側で決定する自動モードより高い画像評価値が対応付けられている。また、ポートレートモード等の人物が撮影されている可能性の高いモードには、風景モード等の人物が撮影されている可能性の低いモードより高い画像評価値が対応付けられている。なお、撮影モードと画像評価値との対応付けを示すテーブルは、システムメモリ４２に予め記録されている。
【００８２】
システム制御部４１は、画像１００の画像データに対する撮影時点で、暫定値である暫定評価値を評価項目「保護」に対する画像評価値として設定する。そして、システム制御部４１は、画像１００の画像データに対する再生処理、編集処理、印刷処理の時点で、当該時点における暫定評価値と等しい値である確定評価値を評価項目「保護」に対する画像評価値として決定する。このように撮影時点から再生処理等の時点までの期間を保護の重要性の要因として用いることにより、保護に値する画像か否かの適切な指標を提示することができる。
【００８３】
なお、システム制御部４１は、画像１００の撮影モードの代わりに、または画像１００の撮影モードとともに画像１００の顔認識の情報を用いて評価項目「保護」に対する画像評価値を算出してもよい。例えば、システム制御部４１は、顔認識有りの画像の画像データに対して、顔認識無しの画像の画像データより高い画像評価値に決定する。また、システム制御部４１は、特定の人物が顔認識されている画像の画像データに対して特定の人物が顔認識されていない画像の画像データより高い画像評価値に決定する。なお、特定の人物の情報は、ユーザの操作に応じてシステムメモリ４２に予め登録されている。
【００８４】
第５項目欄１０５には、評価項目「総合」に対する画像評価値を示すマークが表示される。図７において、第５項目欄１０５には、画像評価値「３」を示すマークが表示されている。システム制御部４１は、評価項目「再生」に対する画像評価値、評価項目「編集」に対する画像評価値、評価項目「印刷」に対する画像評価値および評価項目「保護」に対する画像評価値を平均した値を評価項目「総合」に対する画像評価値として算出する。なお、システム制御部４１は、ユーザの操作履歴に応じて各評価項目の重要度を決定し、各画像評価値に対応する重要度を掛けた値を平均した値を評価項目「総合」に対する画像評価値として算出してもよい。例えば、ユーザが予め定められた期間においてどの画像に対しても編集操作および印刷操作を行わない場合、評価項目「再生」および「保護」の重要度をそれぞれ０．５と決定し、評価項目「編集」および「印刷」の重み付けをそれぞれ０と決定する。なお、ユーザが予め各評価項目の重要度を設定するようにしてもよい。例えば、ユーザが操作部材４４を用いて、評価項目「再生」、「編集」、「印刷」および「保護」の重要度をそれぞれ０．３、０．３、０．２、０．２と設定できるようにする。
【００８５】
図８は、複数の評価項目に対する画像評価値の決定処理を示すフロー図である。本フローは、例えば、カメラ１０の電源がオンにされたときに開始される。第２実施形態において、システム制御部４１が本フローの処理を実行する。なお、第２実施形態において、記録媒体５０は、複数の画像データを示す画像データ群の各画像データに対して、上述の各評価項目に画像評価値を関連付けることができる。
【００８６】
ステップＳ２０１では、システム制御部４１は、ユーザの操作に応じて、記録媒体５０の画像データに対する再生処理を実行したか否かを判断する。再生処理を実行した場合にはステップＳ２０２へ以降し、再生処理を実行していない場合にはステップＳ２０３へ移行する。ステップＳ２０２では、システム制御部４１は、図７を用いて上述したように、評価項目「再生」に対する画像評価値を決定し、決定した画像評価値を画像データに関連付けて記録媒体５０に記録する。
【００８７】
ステップＳ２０３では、システム制御部４１は、ユーザの操作に応じて、記録媒体５０の画像データに対する再生処理を実行したか否かを判断する。再生処理を実行した場合にはステップＳ２０４へ以降し、再生処理を実行していない場合にはステップＳ２０５へ移行する。ステップＳ２０４では、システム制御部４１は、図７を用いて上述したように、評価項目「編集」に対する画像評価値を、編集対象の画像データに決定し、決定した画像評価値を画像データに関連付けて記録媒体５０に記録する。
【００８８】
ステップＳ２０５では、システム制御部４１は、ユーザの操作に応じて、記録媒体５０の画像データに対する印刷処理を実行したか否かを判断する。印刷処理を実行した場合にはステップＳ２０６へ以降し、再生処理を実行していない場合にはステップＳ２０７へ移行する。ステップＳ２０６では、システム制御部４１は、図７を用いて上述したように、評価項目「印刷」に対する画像評価値を、印刷対象の画像データに決定し、決定した画像評価値を画像データに関連付けて記録媒体５０に記録する。
【００８９】
ステップＳ２０７では、システム制御部４１は、図７を用いて上述したように、評価項目「保護」に対する画像評価値を決定し、決定した画像評価値を画像データに関連付けて記録媒体５０に記録する。なお、ステップＳ２０７において、システム制御部４１は、再生処理、編集処理および印刷処理の対象でない画像データであって確定評価値が関連付けられている画像データに対しては処理を実行しない。
【００９０】
ステップＳ２０８では、システム制御部４１は、図７を用いて上述したように、評価項目「総合」に対する画像評価値を決定し、決定した画像評価値を画像データに関連付けて記録媒体５０に記録する。なお、ステップＳ２０８において、システム制御部４１は、ステップＳ２０２、ステップＳ２０４、ステップＳ２０６およびステップＳ２０７の処理の少なくとも１つが実行された画像データに対して処理を実行する。ステップＳ２０９では、カメラ１０の電源がオフになったか否かを判断する。カメラ１０の電源がオフになっていない場合にはステップＳ２０１へ戻り、カメラ１０の電源がオフになった場合には本フローを終了する。このように、複数の評価項目の各々に対して画像評価値を関連付けることにより、ユーザは、再生、編集、印刷等を区別して画像の重要度を確認することができる。
【００９１】
上述のように複数の画像評価値が関連付けられた画像データを用いて画像を検索する画像検索処理について説明する。図９は、第２実施形態における画像検索の入力画面の表示例である。ユーザがメニューボタン７４を押下してメニュー画面から「画像検索」の項目を選択すると、表示制御部３８は、図９に示すとおり、カーソル２００、第１入力欄２０１、第２入力欄２０２、第３入力欄２０３、第４入力欄２０４および第５入力欄２０５を表示部４０に表示させる。
【００９２】
第１入力欄２０１は、評価項目「再生」で画像検索対象の画像評価値を指定する入力欄である。同様に、第２入力欄２０２、第３入力欄２０３、第４入力欄２０４および第５入力欄２０５は、それぞれ評価項目「編集」、「印刷」、「保護」および「総合」で画像検索対象の画像評価値を指定する入力欄である。
【００９３】
ユーザは、十字ボタン７１の上下ボタンを操作してカーソル２００を移動させ、入力欄を選択する。次に、ユーザは、十字ボタン７１の左右ボタンを操作してカーソル２００で選択した入力欄に画像評価値を指定する。なお、本実施形態において、図７で示すとおり、画像評価値は星のマークで表される。ユーザが確定ボタン７２を押下すると、システム制御部４１は、第１入力欄２０１、第２入力欄２０２、第３入力欄２０３、第４入力欄２０４および第５入力欄２０５の指定に対応する画像データを記録媒体５０から抽出する。そして、表示制御部３８は、抽出した画像データが示す画像を表示部４０に表示させる。
【００９４】
図９の例において、第１入力欄２０１に画像評価値「４」が指定されている。一方、第２入力欄２０２、第３入力欄２０３、第４入力欄２０４および第５入力欄２０５には、画像評価値が指定されていない。この状態でユーザが確定ボタン７２を押下すると、システム制御部４１は、評価項目「再生」の画像評価値「４」が関連付けられた画像データを記録媒体５０から抽出する。そして、表示制御部３８は、抽出した画像データが示す画像を表示部４０に表示させる。
【００９５】
図１０は、第２実施形態における画像検索処理を示すフロー図である。本フローは、例えば、メニュー画面で「画像検索」の項目が選択されたときに開始される。本実施形態において、システム制御部４１が本フローの処理を実行する。
【００９６】
ステップＳ３０１では、表示制御部３８は、図９で示す画像検索の入力画面を表示部４０に表示させる。そして、システム制御部４１は、ユーザからの画像評価値の指定を画像検索指定として受け付ける。ユーザによる確定ボタン７２の押下に応じてステップＳ１０２へ移行する。なお、本実施形態において、システム制御部４１は、複数の評価項目に対して、画像評価値の指定を画像検索指定として受け付ける画像評価値受付部として機能する。
【００９７】
ステップＳ３０２では、システム制御部４１は、評価項目「再生」で画像検索対象の第１入力欄２０１に画像評価値の入力が有るか否かを判断する。第１入力欄２０１に画像評価値の入力が有る場合にはステップＳ３０３へ移行し、第１入力欄２０１に画像評価値の入力が無い場合にはステップＳ３０４へ移行する。ステップＳ３０３では、システム制御部４１は、第１入力欄２０１の入力に対応する対象画像データの範囲を絞り込む。例えば、システム制御部４１は、第１入力欄２０１に入力された画像評価値と同じ値である、評価項目「再生」の画像評価値が関連付けられた画像データのファイル名、識別番号等の識別情報を対象画像範囲として抽出する。
【００９８】
ステップＳ３０４では、システム制御部４１は、評価項目「編集」で画像検索対象の第２入力欄２０２に画像評価値の入力が有るか否かを判断する。第２入力欄２０２に画像評価値の入力が有る場合にはステップＳ３０５へ移行し、第２入力欄２０２に画像評価値の入力が無い場合にはステップＳ３０６へ移行する。ステップＳ３０５では、システム制御部４１は、ステップＳ３０３と同様の手法で、第２入力欄２０２の入力に対応する対象画像データの範囲を絞り込む。
【００９９】
ステップＳ３０６では、システム制御部４１は、評価項目「印刷」で画像検索対象の第３入力欄２０３に画像評価値の入力が有るか否かを判断する。第３入力欄２０３に画像評価値の入力が有る場合にはステップＳ３０７へ移行し、第３入力欄２０３に画像評価値の入力が無い場合にはステップＳ３０８へ移行する。ステップＳ３０７では、システム制御部４１は、ステップＳ３０３と同様の手法で、第３入力欄２０３の入力に対応する対象画像データの範囲を絞り込む。
【０１００】
ステップＳ３０８では、システム制御部４１は、評価項目「保護」で画像検索対象の第４入力欄２０４に画像評価値の入力が有るか否かを判断する。第４入力欄２０４に画像評価値の入力が有る場合にはステップＳ３０９へ移行し、第４入力欄２０４に画像評価値の入力が無い場合にはステップＳ３１０へ移行する。ステップＳ３０９では、システム制御部４１は、ステップＳ３０３と同様の手法で、第４入力欄２０４の入力に対応する対象画像データの範囲を絞り込む。
【０１０１】
ステップＳ３１０では、システム制御部４１は、評価項目「総合」で画像検索対象の第５入力欄２０５に画像評価値の入力が有るか否かを判断する。第５入力欄２０５に画像評価値の入力が有る場合にはステップＳ３１１へ移行し、第５入力欄２０５に画像評価値の入力が無い場合にはステップＳ３１２へ移行する。ステップＳ３１１では、システム制御部４１は、ステップＳ３０３と同様の手法で、第５入力欄２０５の入力に対応する対象画像データの範囲を絞り込む。
【０１０２】
ステップＳ３１２では、システム制御部４１は、ステップＳ３０３、３０５、３０７、３０９、３１１で決定された対象画像データの範囲に応じて画像データを抽出する。例えば、まず、システム制御部４１は、ステップＳ３０３、３０５、３０７、３０９、３１１で決定された対象画像データの範囲のアンド検索を行って対象画像データの範囲を確定する。そして、システム制御部４１は、確定した対象画像データの範囲に対応する画像データを記録媒体５０から抽出する。なお、本実施形態において、システム制御部４１は、画像評価値の入力に対応する画像データを画像データ群から抽出する抽出部として機能する。
【０１０３】
ステップＳ３１３では、表示制御部３８は、抽出した画像データが示す画像を表示部４０に表示させる。なお、抽出した画像データが示す画像が多数の場合には、表示制御部３８は、例えば撮影の日付が最も新しいものから順に表示部４０に表示させる。システム制御部４１は、ユーザから画像表示の終了の指示を受け付けると本フローを終了する。このように複数の評価項目に分けて絞り込みをすることにより、ユーザは、よく再生する画像、よく編集する画像等を区別して検索することができる。したがって、ユーザが再生したい画像データ、編集したい画像データ等のユーザが要望する画像データを簡単に探し出すことができる。
【０１０４】
次に、第３実施形態について説明する。第３実施形態のカメラ１０のシステム構成は、図１で示される第１実施形態のカメラ１０のシステム構成と同様である。また、第３実施形態における画像評価値の決定処理は第１実施形態と同様である。第１実施形態においては１つの画像を表示部４０に表示したが、第３実施形態において、表示対象として指定された画像だけでなく他の画像もあわせて表示部４０に表示する。例えば、表示制御部３８は、記録媒体５０の画像データから不要な画像データを削除する画像削除モードにおいて、削除候補画像と、削除候補でない画像とを表示部４０に同時に表示させる。
【０１０５】
図１１は、第３実施形態における削除候補画像の表示例である。ユーザが削除ボタン７５を押下すると、システム制御部４１は、削除ボタン７５から画像削除モードの入力を受け付ける。表示制御部３８は、図１１に示すとおり、削除候補画像３００、第１周辺画像３０１、第２周辺画像３０２、第３周辺画像３０３、第１マーク３０４、第２マーク３０５および第３マーク３０６を、画像削除モードの画面として表示部４０に表示させる。
【０１０６】
例えば、まず、システム制御部４１は、ユーザによる削除ボタン７５の押下に応じて、最も低い画像評価値である画像評価値「１」の画像データ群を、削除候補画像の画像データ群として記録媒体５０の画像データ群から抽出する。次に、システム制御部４１は、抽出した削除候補画像の画像データ群が示す削除候補画像のうち、撮影の日付が最も古い画像を表示対象の削除候補画像３００として決定する。
【０１０７】
また、システム制御部４１は、表示対象の削除候補画像３００の撮影時点から予め定められた期間内で撮影された画像を示し、かつ画像評価値が「１」ではない画像データ群を、周辺画像データ群として記録媒体５０の画像データ群から抽出する。上述の表示対象の削除候補画像３００の撮影時点から予め定められた範囲は、例えば、表示対象の削除候補画像３００の撮影時点から前後３日間である。次に、システム制御部４１は、抽出した周辺画像データ群が示す周辺画像のうち、表示対象の削除候補画像の撮影時点に近い予め定められた数の表示対象の周辺画像を決定する。本実施形態では、周辺画像の数を３とし、システム制御部４１は、第１周辺画像３０１、第２周辺画像３０２および第３周辺画像３０３を決定する。
【０１０８】
そして、表示制御部３８は、システム制御部４１の制御信号に応じて、削除候補画像３００、第１周辺画像３０１、第２周辺画像３０２および第３周辺画像３０３を表示部４０に同時に表示させる。このように、削除候補画像だけでなく、削除候補画像と撮影時点が近い削除しない画像もあわせて表示することにより、ユーザは削除すべきかの判断をし易くなる。
【０１０９】
また、表示制御部３８は、第１周辺画像３０１の画像データに関連付けられた画像評価値を示す第１マーク３０４を、第１周辺画像３０１の下側に配置する。同様に、表示制御部３８は、第２周辺画像３０２の画像データに関連付けられた画像評価値を示す第２マーク３０５を、第２周辺画像３０２の下側に配置する。また、表示制御部３８は、第３周辺画像３０３の画像データに関連付けられた画像評価値を示す第３マーク３０６を、第３周辺画像３０３の下側に配置する。したがって、ユーザは、削除しない画像の重要度を把握した上で、削除対象画像を削除するか否かを判断することができる。
【０１１０】
図１２は、第３実施形態における削除候補画像の表示処理を示すフロー図である。本フローは、例えば、削除ボタン７５が押下されたときに開始される。本実施形態において、システム制御部４１および表示制御部３８が協働して本フローの処理を実行する。
【０１１１】
ステップＳ４０１では、システム制御部４１は、図１１を用いて上述したように、削除候補画像の画像データを抽出する。ステップＳ４０２では、システム制御部４１は、削除候補画像のうちから表示対象の画像を決定する。例えば、システム制御部４１は、削除候補画像のうち撮影の日付が最も古い画像を表示対象として決定する。
【０１１２】
ステップＳ４０３では、システム制御部４１は、図１１を用いて上述したように、表示対象の削除候補画像の周辺画像の画像データを記録媒体５０から抽出する。なお、ステップＳ４０１からＳ４０３の処理で示すとおり、表示対象の第１画像を示す第１画像データと、第１画像データと異なる画像評価値が関連付けられた第２画像データと、を画像データ群から抽出する抽出部として機能する。
【０１１３】
ステップＳ４０４では、表示制御部３８は、図１１を用いて上述したように、表示対象の削除候補画像および周辺画像を表示部４０に同時に表示させる。なお、本実施形態において、表示制御部３８は、表示対象の第１画像、および第１画像と異なる画像評価値が関連付けられた第２画像データを表示部に同時に表示させる表示制御部として機能する。
【０１１４】
ステップＳ４０５では、システム制御部４１は、ユーザの操作に応じて、削除候補画像の表示を変更するか否かを判断する。削除候補画像の表示を変更する場合にはステップＳ４０２へ移行し、削除候補画像の表示を変更しない場合にはステップＳ４０６へ移行する。
【０１１５】
ステップＳ４０６では、システム制御部４１は、ユーザの操作に応じて、表示中の削除候補画像の画像データを記録媒体５０から削除するか否かを判断する。表示中の削除候補画像を削除する場合にはステップＳ４０７へ移行し、表示中の削除候補画像を削除しない場合には、ステップＳ４０９へ移行する。
【０１１６】
ステップＳ４０７では、システム制御部４１は、表示中の削除対象画像の画像データを記録媒体５０から削除する処理を実行する。そして、ステップＳ４０８では、システム制御部４１は、ユーザの操作に応じて、画像削除モードを終了するか否かを判断する。画像削除モードを終了しない場合にはステップＳ４０２へ移行し、画像削除モードを終了する場合には本フローを終了する。ステップＳ４０９では、ステップＳ４０８と同様に、システム制御部４１は、ユーザの操作に応じて、画像削除モードを終了するか否かを判断する。画像削除モードを終了しない場合にはステップＳ４０４へ移行して画面表示を継続し、画像削除モードを終了する場合には本フローを終了する。
【０１１７】
上述の実施形態において、時間経過によって変更される暫定値である暫定評価値と、時間経過によって変更されない確定値である確定評価値とにより構成された画像評価値を用いたが、時間経過によって変更される画像評価値のみを用いてもよい。この場合、システム制御部４１は、上述の実施形態における暫定評価値と同様に、基準時点からの経過時間に応じて、画像評価値を予め定められた基準評価値へ漸近させる第１変更処理を実行する。なお、撮影時点が基準時点として設定され、撮影時において予め定められたデフォルト値が基準時点における評価値として設定される。
【０１１８】
また、システム制御部４１は、上述の実施形態における暫定評価値と同様に、画像データに対する再生処理、編集処理、印刷処理等の予め定められた処理の内容に応じて、画像評価値を変更する第２変更処理を実行する。なお、システム制御部４１は、第２変更処理を実行してから予め定められた期間（例えば３ヶ月）が経過するまでの間、上述の第１変更処理を実行しないようにしてもよい。
【０１１９】
また、システム制御部４１は、基準時点から予め定められた期間（例えば１年）経過した時点において、画像評価値が基準評価値である場合に、画像評価値を基準時点における評価値へ戻す第３変更処理を実行する。撮影後に再生処理等をそれほど行わなかった画像データの画像評価値をあるタイミングで初期評価値へ戻すことにより、ユーザは、当該画像データを検索し易くなり、当該画像データの画像を見直すことができる。なお、第３変更処理を実行させる期間は、ユーザが設定できるようにしてもよい。また、システム制御部４１は、基準時点から予め定められた期間（例えば１年）経過した時点において、画像評価値が基準評価値である場合に、画像評価値を基準時点における評価値以外の評価値に変更してもよい。
【０１２０】
上述の実施形態において、カメラ１０を画像処理装置として用いたが、ＰＣを画像処理装置として用いてもよい。例えば、記録媒体５０をＰＣに装着し、ＰＣの制御部が、上述したシステム制御部４１と同様の機能を実行する。また、外部接続ＩＦ４７を介してカメラ１０と接続したＰＣの制御部が、記録媒体５０から画像データを自身の記録媒体に転送し、上述したシステム制御部４１と同様の機能を実行してもよい。
【０１２１】
以上、本発明を実施の形態を用いて説明したが、本発明の技術的範囲は上記の実施形態に記載の範囲には限定されない。上記の実施形態に、多様な変更または改良を加えることが可能であることが当業者に明らかである。その様な変更または改良を加えた形態も本発明の技術的範囲に含まれ得ることが、特許請求の範囲の記載から明らかである。
【０１２２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１２３】
１０  カメラ、１１  光軸、２０  光学系、３１  撮像素子、３２  Ａ／Ｄ変換器、３３  メモリ制御部、３４  タイミング発生部、３５  内部メモリ、３６  画像処理部、３７  記録媒体ＩＦ、３８  表示制御部、３９  Ｄ／Ａ変換器、４０  表示部、４１  システム制御部、４２  システムメモリ、４３  レンズ制御部、４４  操作部材、４５  レリーズスイッチ、４６  電源制御部、４７  外部接続ＩＦ、５０  記録媒体、６０  電源、７１  十字ボタン、７２  確定ボタン、７３  再生ボタン、７４  メニューボタン、７５  削除ボタン、８１  画像、８２  マーク、９０  カーソル、１００  画像、１０１  第１項目欄、１０２  第２項目欄、１０３  第３項目欄、１０４  第４項目欄、１０５  第５項目欄、２００  カーソル、２０１  第１入力欄、２０２  第２入力欄、２０３  第３入力欄、２０４  第４入力欄、２０５  第５入力欄、３００  削除候補画像、３０１  第１周辺画像、３０２  第２周辺画像、３０３  第３周辺画像、３０４  第１マーク、３０５  第２マーク、３０６  第３マーク
【図１】
2013211782.tif 000003
【図２】
2013211782.tif 000004
【図３】
2013211782.tif 000005
【図４】
2013211782.tif 000006
【図５】
2013211782.tif 000007
【図６】
2013211782.tif 000008
【図７】
2013211782.tif 000009
【図８】
2013211782.tif 000010
【図９】
2013211782.tif 000011
【図１０】
2013211782.tif 000012
【図１１】
2013211782.tif 000013
【図１２】
2013211782.tif 000014